(57)【特許請求の範囲】
【請求項１】
前面側に遊技球を用いた遊技を行う遊技領域が設けられた遊技盤と、
前記遊技領域に設けられ、遊技球が通過可能な始動入賞口を有する始動入賞装置と、
前記遊技領域に設けられ、遊技球が通過可能な大入賞口およびスライド移動することに
より前記大入賞口を開閉可能なスライド開閉部材を有する大入賞装置とを備え、
前記大入賞装置は、前記大入賞口から流入した遊技球が通常口および確率変動口のいず
れか一方を通過するように構成され、遊技球が前記確率変動口を通過すると、前記始動入
賞口への遊技球の入球を条件に実行される当否判定の当選確率が通常時の当選確率よりも
高確率である高確率抽選状態となるように構成され、
前記スライド開閉部材は、前記大入賞口を開いた状態において前記確率変動口へ繋がる
遊技球の流下通路を開放するとともに、前記大入賞口を閉じた状態において前記流下通路
を遮断する遮断部を有して構成されることを特徴とする弾球遊技機。
【発明の詳細な説明】
【技術分野】
【０００１】
本発明は、ぱちんこ遊技機等の弾球遊技機に関する。
【背景技術】
【０００２】
ぱちんこ遊技機には、遊技領域を構成する遊技盤のほぼ中央にセンター飾りを配置し、
このセンター飾りに液晶ディスプレイ等の演出表示装置を設けたものが知られている（例
えば、特許文献１を参照）。このようなぱちんこ遊技機は、遊技領域内に設けられた始動
入賞口に遊技球が入球したことを契機として、演出表示装置において複数の図柄（装飾図
柄）を変動させた後に停止表示したときの図柄の組み合わせが予め設定された当たり図柄
であった場合に、特別遊技状態（大当たり）を成立させるように構成されている。特別遊
技状態においては、遊技領域内に設けられたアタッカーと称される大入賞口を開放して遊
技球の入球を容易にし、この大入賞口への遊技球の入球により遊技者が大量の賞球を獲得
できるようになっている。
【０００３】
また、このようなぱちんこ遊技機では、演出表示装置における抽選結果を示唆する演出
表示のみでは遊技の興趣性を向上させることが難しく、単調な遊技内容となりやすい。そ
こで、遊技内容を多様化させるため、例えば、アタッカー（大入賞装置）の内部に通常口
および確率変動口を設け、大入賞口から流入した遊技球が確率変動口を通過すると、特別
遊技の終了後、大当たりの当選確率が通常時の当選確率よりも高確率である高確率抽選状
態となるように構成された弾球遊技機が開発されてきている。
【先行技術文献】
【特許文献】
【０００４】
【特許文献１】特開２００１‐９６０１９号公報
【発明の概要】
【発明が解決しようとする課題】
【０００５】
ところで、上記のように内部に通常口および確率変動口が設けられた大入賞装置では、
大入賞口を開閉する開閉部材の他に、大入賞口から流入した遊技球が通常口および確率変
動口のいずれか一方を通過するように遊技球を振り分ける振分部材を有して構成されてい
るものがある。このような大入賞装置では、開閉部材を開閉作動させるアクチュエータと
、振分部材を振分作動させるアクチュエータとの２つのアクチュエータを有して構成され
るため、大入賞装置が大型化するとともに、当該大入賞装置が設けられると遊技盤の遊技
領域が狭くなって他の遊技構成部材の配置スペースが制限されるという課題があった。
【０００６】
本発明は、このような課題に鑑みてなされたものであり、大入賞装置を小型化すること
ができ、遊技盤の遊技領域を広く確保することができる弾球遊技機を提供することを目的
とする。
【課題を解決するための手段】
【０００７】
このような目的達成のため、本発明に係る弾球遊技機は、前面側に遊技球を用いた遊技
を行う遊技領域が設けられた遊技盤と、前記遊技領域に設けられ、遊技球が通過可能な始
動入賞口を有する始動入賞装置（例えば、実施形態における第２始動入賞装置１３）と、
前記遊技領域に設けられ、遊技球が通過可能な大入賞口（例えば、実施形態における第２
大入賞口１０１）およびスライド移動することにより前記大入賞口を開閉可能なスライド
開閉部材（例えば、実施形態におけるスライド扉１０２）を有する大入賞装置（例えば、
実施形態における第２大入賞装置１００）とを備える。そして、前記大入賞装置は、前記
大入賞口から流入した遊技球が通常口および確率変動口のいずれか一方を通過するように
構成され、遊技球が前記確率変動口を通過すると、前記始動入賞口への遊技球の入球を条
件に実行される当否判定の当選確率が通常時の当選確率よりも高確率である高確率抽選状
態となるように構成され、前記スライド開閉部材は、前記大入賞口を開いた状態において
前記確率変動口へ繋がる遊技球の流下通路を開放するとともに、前記大入賞口を閉じた状
態において前記流下通路を遮断する遮断部を有して構成される。
【発明の効果】
【０００８】
本発明によれば、大入賞装置を小型化することができ、遊技盤の遊技領域を広く確保す
ることができる。
【図面の簡単な説明】
【０００９】
【図１】ぱちんこ遊技機の正面図である。
【図２】ぱちんこ遊技機の背面図である。
【図３】（ａ）は第２大入賞装置のスライド扉を閉じた状態を示す縦断面図であり、（ｂ）は第２大入賞装置のスライド扉を開いた状態を示す縦断面図である。
【発明を実施するための形態】
【００１０】
以下、本発明の好ましい実施形態について図面を参照して説明する。本実施形態に係る
弾球遊技機の一例としてぱちんこ遊技機ＰＭを図１および図２に示しており、まず、これ
らの図を参照してぱちんこ遊技機ＰＭの全体構成について説明する。
【００１１】
［ぱちんこ遊技機の全体構成］
始めに、ぱちんこ遊技機ＰＭの前面側の基本構造を説明する。ぱちんこ遊技機ＰＭは、
図１に示すように、外郭方形枠サイズに構成された縦向きの固定保持枠をなす外枠１と、
これに合わせた方形枠サイズに構成されて開閉搭載枠をなす前枠２とを有して構成される
。前枠２は、外枠１および前枠２の左側縁部に配設された上下のヒンジ機構３ａ，３ｂに
より、外枠１の前側開口部に対して横開き開閉および着脱が可能に取り付けられる。また
、前枠２は、右側縁部に設けられたダブル錠と称される施錠装置５０を利用して、常には
外枠１と係合連結された閉鎖状態に保持される。
【００１２】
前枠２の前面側には、この前枠２の前面域に合わせた方形状のガラス枠５が上下のヒン
ジ機構３ａ，３ｂを利用して横開き開閉および着脱可能に組み付けられる。ガラス枠５は
、上述の施錠装置５０を利用して、常には前枠２の前面を覆う閉鎖状態に保持される。前
枠２の上側に設けられた収容枠に遊技盤１０が着脱可能にセット保持され、常には閉鎖保
持されるガラス枠５の複層ガラス５ａを通して、遊技盤１０の前面に設けられた遊技領域
ＰＡを視認可能に臨ませるようになっている。
【００１３】
ガラス枠５の下部前面側には、遊技球を貯留する球皿ユニット２００の上下の球皿（上
球皿２１０および下球皿２２０）が設けられる。上球皿２１０および下球皿２２０は、ガ
ラス枠５の略中央に配置される。ガラス枠５の上部前面側には、発光ダイオード（ＬＥＤ
）やランプ等を備える電飾装置が設けられる。ガラス枠５の下方に位置する下部前板７に
は、遊技の展開状態に応じて効果音を発生させるスピーカ８が設けられる。
【００１４】
前枠２の右下部には、遊技球の発射操作を行う発射ハンドル９が設けられる。なお、図
示を省略するが、前枠２の下部におけるガラス枠５の後側には、上球皿２１０に貯留され
た遊技球を１球ずつ送り出す整流器、この整流器から送り出された遊技球を遊技領域ＰＡ
に向けて打ち出す発射機構、この発射機構の作動を制御する発射制御基板等が設けられる
。
【００１５】
続いて、ぱちんこ遊技機ＰＭの後面側の基本構造を説明する。図２に示すように、前枠
２の後面側には、中央に前後連通する窓口を有して前枠２よりも幾分小型の矩形枠状に形
成された裏機構盤３０が取り付けられている。裏機構盤３０の各部には、遊技施設側から
供給される遊技球を貯留するタンク部材３３、タンク部材３３から供給される遊技球を流
下させる樋部材３４、樋部材３４を流下する遊技球を払い出す賞球払出ユニット３５、賞
球払出ユニット３５から払い出された遊技球を上球皿２１０もしくは下球皿２２０に流下
させる裏側通路部材等が設けられている。
【００１６】
遊技盤１０の後面側には、ぱちんこ遊技機ＰＭの作動を統括的に制御する主制御基板４
０や、遊技展開に応じた画像表示、効果照明、効果音等の演出全般の制御を行う副制御基
板４１が取り付けられている。裏機構盤３０の後面下部には、遊技球の払い出しに関する
制御を行う払出制御基板４２や、遊技施設側から受電して各種制御基板や電気・電子部品
に電力を供給する電源基板４３や、電源スイッチ４４が取り付けられている。裏機構盤３
０の後面上部には、主制御基板４０や払出制御基板４２等からの信号をぱちんこ遊技機Ｐ
Ｍの外部の機器へ中継する外部中継端子基板４５が取り付けられている。これらの制御基
板とぱちんこ遊技機ＰＭ各部の電気・電子部品とがハーネス（コネクタケーブル）で接続
されて、ぱちんこ遊技機ＰＭが作動可能に構成されている。
【００１７】
ぱちんこ遊技機ＰＭは、外枠１が遊技施設の遊技島（設置枠台）に固定設置され、前枠
２、ガラス枠５等が閉鎖施錠された状態で遊技に供され、上球皿２１０に遊技球を貯留さ
せて発射ハンドル９を回動操作することにより遊技が開始される。発射ハンドル９が回動
操作されると、上球皿２１０に貯留された遊技球が、整流器によって１球ずつ発射機構に
送り出され、発射機構により遊技領域ＰＡに打ち出されて、以降パチンコゲームが展開さ
れる。
【００１８】
［遊技盤の構成］
次に、図１および図３を参照して、前枠２の収容枠に着脱可能にセット保持される遊技
盤１０の詳細について説明する。図１に示すように、遊技盤１０は、積層合板もしくは樹
脂材料を用いて板状に形成される。遊技盤１０の前面側には、遊技盤１０の前面に略円形
状の遊技領域ＰＡを形成する内レールおよび外レールを有するレール飾り（図示せず）が
取り付けられる。
【００１９】
遊技盤１０の遊技領域ＰＡには、多数本の遊技釘や風車とともに、遊技球が入球可能な
一般入賞装置１１、第１始動入賞装置１２、第２始動入賞装置１３、第１大入賞装置１４
および第２大入賞装置１００等の各種入賞装置が設けられている。さらに、遊技盤１０の
遊技領域ＰＡには、補助遊技始動ゲート１５、遊技の展開状態に応じて演出を行う演出図
柄表示装置１６、可動装飾装置１７ａ，１７ｂを備えたセンター飾り１７等が設けられて
いる。また、遊技領域ＰＡの中央下端部には、遊技球が通過可能なアウト口１８が形成さ
れている。遊技領域ＰＡの外側における左下の位置には、特別図柄表示装置１９が設けら
れている。
【００２０】
一般入賞装置１１は、遊技球が落入可能な一般入賞口と、この一般入賞口に落入した遊
技球を検出する一般入賞センサとを有し、一般入賞センサにより検出された後に遊技球を
遊技盤１０の後面側に排出させるように構成される。
【００２１】
第１始動入賞装置１２は、遊技球が落入可能な第１始動入賞口と、この第１始動入賞口
に落入した遊技球を検出する第１始動入賞センサとを有し、第１始動入賞センサにより検
出された後に遊技球を遊技盤１０の後面側に排出させるように構成される。第２始動入賞
装置１３は、遊技球が落入可能な第２始動入賞口と、所謂チューリップ型の普通電動役物
と、この普通電動役物を開閉作動させる普通電動役物ソレノイドと、第２始動入賞口に落
入した遊技球を検出する第２始動入賞センサとを有し、第２始動入賞センサにより検出さ
れた後に遊技球を遊技盤１０の後面側に排出させるように構成される。第２始動入賞装置
１３は、普通電動役物ソレノイドにより普通電動役物を拡開作動させると、第２始動入賞
口への遊技球の落入容易性が高まるようになっている。
【００２２】
第１大入賞装置１４は、遊技球が流入可能な横長方形状の第１大入賞口と、第１大入賞
口を開閉可能な所謂アタッカー型の開閉扉と、この開閉扉を開閉作動させる第１大入賞ソ
レノイドと、第１大入賞口に落入した遊技球を検出する第１大入賞口センサとを有し、第
１大入賞口センサにより検出された後に遊技球を遊技盤１０の後面側に排出させるように
構成される。第１大入賞装置１４は、第１始動入賞装置１２の第１始動入賞口に遊技球が
落入したことを契機として、上述の主制御基板４０において実行される当否判定の結果が
「大当たり」となったときに、特別図柄表示装置１９における第１特別図柄が所定の態様
にて停止して特別遊技状態となり、第１大入賞ソレノイドにより開閉扉を開放作動させて
第１大入賞口に遊技球が流入可能な状態となるように制御される。
【００２３】
第２大入賞装置１００は、図３に示すように、上下方向に開口して遊技球が落入可能な
第２大入賞口１０１と、スライド移動することにより第２大入賞口１０１を開閉可能なス
ライド扉１０２と、スライド扉１０２をスライド移動させて開閉作動させる第２大入賞ソ
レノイド（図示せず）と、第２大入賞口１０１から流入した遊技球が通過可能な通常口１
０３および確率変動口１０４と、第２大入賞口１０１から通常口１０３および確率変動口
１０４へ繋がる遊技球の流下通路を形成する通路形成部材１０５と、通常口１０３を通過
した遊技球を検出する通常口センサ１０６と、確率変動口１０４を通過した遊技球を検出
する確率変動口センサ１０７と、通路形成部材１０５の前面に設けられる装飾板１０８（
図１を参照）とを有して構成される。第２大入賞装置１００は、通路形成部材１０５によ
って形成される流下通路により、第２大入賞口１０１から流入した遊技球が通常口１０３
および確率変動口１０４のいずれか一方を通過するようになっている。
【００２４】
スライド扉１０２は、図３（ａ）に示すように、前後左右に延びる平板状の開閉部１０
２ａと、開閉部１０２ａの左端部から左方に延びた後に下方に延びる平板状の遮断部１０
２ｂとを有し、全体としてＬ字平板状に形成される。スライド扉１０２は、第２大入賞ソ
レノイドによって図３の紙面に直交する方向にスライド移動されることにより、開閉部１
０２ａによって第２大入賞口１０１を開閉するようになっている。なお、図３（ｂ）では
、スライド扉１０２が紙面に直交する手前側にスライド移動して第２大入賞口１０１を開
放した状態を図示しているため、スライド扉１０２が図示されていない。
【００２５】
スライド扉１０２は、開閉部１０２ａによって第２大入賞口１０１を閉じた状態のとき
には、第２大入賞口１０１から確率変動口１０４へ繋がる流下通路を遮断部１０２ｂによ
って遮断して、第２大入賞口１０１から流入した遊技球を確率変動口１０４側へは流下さ
せずに、通常口１０３側へのみに流下させるように構成されている（図３（ａ）を参照）
。また、スライド扉１０２は、開閉部１０２ａによって第２大入賞口１０１を開いた状態
のときには、第２大入賞口１０１から確率変動口１０４へ繋がる流下通路を開放して、第
２大入賞口１０１から流入した遊技球が確率変動口１０４側へも流下可能となるように構
成されている（図３（ｂ）を参照）。なおこのとき、遊技球が通常口１０３および確率変
動口１０４のどちらを通過するかは、通路形成部材１０５によって形成される流下通路の
設計次第でその確率を調整可能である。装飾板１０８には、遊技領域ＰＡを装飾するため
の文字や図形等が描かれている。
【００２６】
第２大入賞装置１００は、第２始動入賞装置１３の第２始動入賞口に遊技球が落入した
ことを契機として、上述の主制御基板４０において実行される当否判定の結果が「大当た
り」となったときに、特別図柄表示装置１９における第２特別図柄が所定の態様にて停止
して特別遊技状態となり、第２大入賞ソレノイドによりスライド扉１０２をスライド移動
させて第２大入賞口１０１を開放させ、第２大入賞口１０１に遊技球が落入可能な状態と
なるように制御される。なおこのとき、スライド扉１０２をスライド移動させて第２大入
賞口１０１を開放させる開放パターンは複数のパターンによって制御される。例えば、２
９秒程度の相対的に長い時間開放させるロング開放や、０．０５秒程度の極短時間のショ
ート開放や、ロング開放とショート開放を組み合わせた開放パターン等によって制御され
る。
【００２７】
第２大入賞装置１００では、上記ショート開放時において遊技球が第２大入賞口１０１
から流入すると、当該遊技球が通常口１０３の上方位置くらいまで流下する間に、スライ
ド扉１０２が閉鎖方向にスライド移動されて第２大入賞口１０１を閉じた状態となるため
、スライド扉１０２の遮断部１０２ｂによって確率変動口１０４側への流下通路が遮断さ
れて、当該遊技球は、確率変動口１０４側へは流下することができず、通常口１０３側へ
のみに導かれる（図３（ａ）を参照）。
【００２８】
一方、上記ロング開放時において遊技球が第２大入賞口１０１から流入すると、スライ
ド扉１０２が開放方向にスライド移動されて第２大入賞口１０１を開放した状態が保たれ
るため、確率変動口１０４へ繋がる流下通路も開放されている状態となり、当該遊技球は
確率変動口１０４側へも流下可能となる。ぱちんこ遊技機ＰＭでは、遊技球が確率変動口
１０４を通過して確率変動口センサ１０７により検出されると、特別遊技の終了後、上述
の主制御基板４０において実行される当否判定の当選確率が通常時の当選確率よりも高確
率である高確率抽選状態となるように構成されている。
【００２９】
このように、本実施形態に係る第２大入賞装置１００によれば、スライド扉１０２が、
開閉部１０２ａによって第２大入賞口１０１を閉じた状態のときには、第２大入賞口１０
１から確率変動口１０４へ繋がる流下通路を遮断部１０２ｂによって遮断するとともに、
第２大入賞口１０１を開いた状態のときには前記流下通路を開放するように構成されてい
る。そのため、１つの第２大入賞ソレノイドによって第２大入賞口１０１の開閉作動と、
通常口１０３もしくは確率変動口１０４への遊技球の振分作動を行うことができるので、
２つのソレノイドを備える従来の大入賞装置と比較して、第２大入賞装置１００を小型化
することができる。また、このように第２大入賞装置１００を小型化することができるた
め、遊技領域ＰＡに他の遊技構成部材を配置するスペースを確保することができ、遊技の
興趣性の向上を図ることができる。また、スライド扉１０２を所定時間以上開放した場合
は確率変動口１０４へ確実に遊技球を誘導し、スライド扉１０２の開放が所定時間に満た
ない場合は確率変動口１０４への入球チャンスを確保するが入球すること無く通常口１０
３へ確実に遊技球を誘導することができる。
【００３０】
これまで本発明の好ましい実施形態について説明してきたが、本発明の範囲はこれに限
定されるものではない。例えば、上述の実施形態において、本発明が適用される弾球遊技
機の一例として、ぱちんこ遊技機を例示して説明したが、これに限定されるものではなく
、例えば、アレンジボール遊技機、雀球遊技機、ＥＣＯ遊技機（封入式ぱちんこ遊技機）
などの他の弾球遊技機についても同様に適用し、同様の効果を得ることができる。
【符号の説明】
【００３１】
ＰＭ    ぱちんこ遊技機（弾球遊技機）
ＰＡ    遊技領域
１０    遊技盤
１３    第２始動入賞装置（始動入賞装置）
１００  第２大入賞装置（大入賞装置）
１０１  第２大入賞口（大入賞口）
１０２  スライド扉（スライド開閉部材）
１０２ａ  開閉部
１０２ｂ  遮断部
１０３  通常口
１０４  確率変動口
【図１】
0006409583.tif 000002
【図２】
0006409583.tif 000003
【図３】
0006409583.tif 000004